(57)【要約】【課題】光源の光で昆虫を引き寄せて電撃で殺虫する殺虫装置において、光源として異なる波長領域にピークを持つ複数のＬＥＤ素子を備えることで、補虫効果の高い差中装置を提供する。【解決手段】ＬＥＤユニット２００は波長領域に対する相対強度のピークが互いに異なる複数のＬＥＤ素子を有する。殺虫装置１０００はＬＥＤユニット２００として複数の内側ＬＥＤユニット２００ｂと複数の外側ＬＥＤユニット２００ａとを備えている。内側ＬＥＤユニット２００ｂと、電撃格子１５０と、ガード部１４０とが、最も内側に位置する内側ＬＥＤユニット２００ｂから電撃格子１５０、最も外側に位置するガード部１４０の順に入れ子状に配置されている。内側ＥＤユニット２００ｂは電撃格子１５０からガード部１４０に向かう方向に光を放射し、外側ＬＥＤユニット２００ａは、ガード部１４０に配置され、内側ＬＥＤユニット２００ｂから遠ざかる方向に光を放射する。【選択図】図１
2011254714.tif 000002
【特許請求の範囲】
【請求項１】
光源の光によって昆虫を引き寄せて、電撃によって殺虫する殺虫装置において、
波長領域に対する発光スペクトルの相対強度のピークが互いに異なる複数のＬＥＤ素子を少なくとも有するＬＥＤユニットを備えたことを特徴とする殺虫装置。
【請求項２】
前記ＬＥＤユニットである第１ＬＥＤユニットと、
前記第１ＬＥＤユニットの周囲を囲む格子状に形成され、接触した昆虫に電撃を加えて殺虫する電撃格子と、
前記ＬＥＤユニットである第２ＬＥＤユニットであって、前記電撃格子の外側に配置された第２ＬＥＤユニットと
を備えたことを特徴とする請求項１記載の殺虫装置。
【請求項３】
前記殺虫装置は、さらに、
前記電撃格子を囲む格子状に形成され、前記電撃格子への人体の接触をガードするガード部を備え、
前記第１ＬＥＤユニットは、
前記電撃格子から前記ガード部に向かう外側方向に光を放射し、
前記第２ＬＥＤユニットは、
前記ガード部に配置され、前記第１ＬＥＤユニットから遠ざかる外側方向に光を放射することを特徴とする請求項２記載の殺虫装置。
【請求項４】
前記第１ＬＥＤユニットは、
下方から上方に向かって前記ＬＥＤ素子が列状に並べられた、下方から上方に向かう長尺形状であり、
前記電撃格子は、
前記第１ＬＥＤユニットの長手方向の周囲を囲み、
前記ガード部は、
前記第１ＬＥＤユニットの長手方向の周囲となる前記電撃格子の周囲を囲み、
前記第２ＬＥＤユニットは、
前記ガード部に配置された状態で、下方から上方に向かって前記ＬＥＤ素子が列状に並べられた、前記第１ＬＥＤユニットの長手方向である下方から上方に向かう長尺形状であることを特徴とする請求項３記載の殺虫装置。
【請求項５】
前記殺虫装置は、
前記第１ＬＥＤユニットと前記第２ＬＥＤユニットとの少なくとも一方の光出力を、周期的に変化させる発光制御部を備えたことを特徴とする請求項１〜４のいずれかに記載の殺虫装置。
【請求項６】
前記発光制御部は、
前記第１ＬＥＤユニットを第２ＬＥＤユニットよりも大きい光出力に制御することを特徴とする請求項５記載の殺虫装置。
【発明の詳細な説明】
【技術分野】
【０００１】
この発明は、光源の光によって昆虫を引き寄せて、電撃によって殺虫する殺虫装置に関する。
【背景技術】
【０００２】
昆虫は紫外線に集まる習性があり、それを利用した補虫用の紫外放射蛍光ランプを搭載した捕虫、および殺虫装置がある（例えば、特許文献１〜３）。
【０００３】
また、調光装置にてＬＥＤの光色をコントロールする方法がある（例えば、特許文献４）。
【先行技術文献】
【特許文献】
【０００４】
【特許文献１】実用新案登録第３０９２００７号公報
【特許文献２】実用新案登録第３０９２３９４号公報
【特許文献３】特開２００１−８６９１６号公報
【特許文献４】特開２００４−２０１５１９号公報
【発明の概要】
【発明が解決しようとする課題】
【０００５】
昆虫の種類によって集まる波長は異なる。紫外放射蛍光ランプは、おもに３６０ｎｍ付近の波長のみにピークを持つため、異なる波長に集まる虫へは補虫効果が得られなかった。
【０００６】
本発明は、異なる波長領域にピークを持つ複数の光源を備えることで、補虫効果を高めることを目的とする。
【課題を解決するための手段】
【０００７】
この発明の殺虫装置は、
光源の光によって昆虫を引き寄せて、電撃によって殺虫する殺虫装置において、
波長領域に対する発光スペクトルの相対強度のピークが互いに異なる複数のＬＥＤ素子を少なくとも有するＬＥＤユニットを備えたことを特徴とする。
【発明の効果】
【０００８】
複数の波長にピークを持つＬＥＤを組み合わせた発光装置を有することにより、紫外放射蛍光ランプでは放射できなかった波長を放射し、より多くの種類の昆虫を集めることが可能となり、補虫効果を高めることができる。
【図面の簡単な説明】
【０００９】
【図１】実施の形態１の殺虫装置１０００の斜視図。
【図２】図１に示す殺虫装置１０００の縦断面図。
【図３】図１に示す殺虫装置１０００の横断面図。
【図４】図１に示す殺虫装置１０００の分解斜視図。
【図５】実施の形態１のＬＥＤユニット２００を示す斜視図及び側面図。
【図６】実施の形態１のＬＥＤユニット２００の分解斜視図。
【図７】実施の形態１のＬＥＤユニット２００の基板２２０へのＬＥＤ素子配置を示す斜視図。
【図８】図４に示す支柱部１３０と内側ＬＥＤユニット２００ｂとの斜視図。
【図９】実施の形態１の昆虫の種類による集まりやすい波長との関係を示す表。
【図１０】実施の形態２の殺虫装置１０００の横断面図。
【図１１】実施の形態３の殺虫装置の回路ユニット３００のブロック図。
【発明を実施するための形態】
【００１０】
実施の形態１．
図１〜図９を参照して実施の形態１を説明する。
図１は、実施の形態１の殺虫装置１０００の外形斜視図である。
図２は、殺虫装置１０００の縦面図である。
図３は、殺虫装置１０００の横断面図である。
図４は、殺虫装置１０００の分解斜視図である。
【００１１】
（殺虫装置１０００）
殺虫装置１０００は、器具本体１００と、この器具本体１００の外周及び中央部に取り付けられる１２個のＬＥＤユニット２００（８個の外側ＬＥＤユニット２００ａ、４個の内側ＬＥＤユニット２００ｂ）とを備える。なお、ＬＥＤユニット２００という場合は外側ＬＥＤユニット２００ａ、内側ＬＥＤユニット２００ｂの両方を意味する。
【００１２】
（器具本体１００）
器具本体１００は、図１、図４に示すように、上本体１１０と、虫を受ける下本体１２０と、ほぼ中央に配置され、上本体１１０と下本体１２０とを接続する支柱部１３０と、上本体１１０と下本体１２０との間かつ外周を覆う格子状のガード部１４０と、支柱部１３０とガード部１４０との間の位置に設けられる電撃格子１５０とを備える。
【００１３】
図５は、ＬＥＤユニット２００の斜視図（ａ）及び側面図（ｂ）である。
図６は、ＬＥＤユニット２００の分解斜視図である。
図７は、ＬＥＤユニット２００の基板２２０へのＬＥＤ素子配置を示す斜視図である。
【００１４】
（殺虫装置１０００の構造）
殺虫装置１０００は、複数のＬＥＤユニット２００を備えている。ＬＥＤユニット２００は、波長領域に対する発光スペクトルの相対強度のピークが互いに異なる複数のＬＥＤ素子を少なくも有する。市販品としては、例えば、「ｈｔｔｐ：／／ｗｗｗ．ｎｉｔｒｉｄｅ．ｃｏ．ｊｐ／ｐｒｏｄｕｃｔｓ／ｃｈｉｐ．ｈｔｍ１，（２０１０．６．７現在アクセス可能）」、「ｈｔｔｐ：／／ｗｗｗ．ｎｉｃｈｉａ．ｃｏ．ｊｐ／ｊｐ／ｐｒｏｄｕｃｔ／ｕｖｌｅｄ．ｈｔｍｌ，（２０１０．６．７現在アクセス可能）」にあるようなＬＥＤを用いることができる。図４に示すように、殺虫装置１０００は、ＬＥＤユニット２００として、内側に配置される複数の内側ＬＥＤユニット２００ｂと、外側に配置される複数の外側ＬＥＤユニット２００ａを備えている。殺虫装置１０００では、内側ＬＥＤユニット２００ｂと、電撃格子１５０と、ガード部１４０とが、最も内側に位置する内側ＬＥＤユニット２００ｂから電撃格子１５０、最も外側に位置するガード部１４０の順に「入れ子状」に配置されている。内側ＬＥＤユニット２００ｂは電撃格子１５０からガード部１４０に向かう方向に光を放射する。外側ＬＥＤユニット２００ａは、ガード部１４０に配置され、内側ＬＥＤユニット２００ｂから遠ざかる方向に光を放射する。
図１、図２等に示すように、内側ＬＥＤユニット２００ｂは、下方から上方に向かってＬＥＤ素子が列状に並べられた、下方から上方に向かう長尺形状である。電撃格子１５０は、内側ＬＥＤユニット２００ｂの長手方向（上下方向）の周囲を囲んでいる。ガード部１４０は、内側ＬＥＤユニット２００ｂの長手方向の周囲となる電撃格子１５０の周囲を囲んでいる。外側ＬＥＤユニット２００ａは、ガード部１４０に配置された状態で、下方から上方に向かってＬＥＤ素子が列状に並べられた、内側ＬＥＤユニット２００ｂの長手方向である下方から上方に向かう長尺形状である。
【００１５】
（ＬＥＤユニット２００）
ＬＥＤユニット２００は、図６、図７に示すように、波長のピークの異なる複数のＬＥＤ素子２１０ａ〜２１０ｆと、ＬＥＤ素子２１０が実装される基板２２０と、ＬＥＤ素子２１０と基板２２０の実装面を覆うように取り付けられるカバー２３０とを備える。なおＬＥＤ素子２１０というときはＬＥＤ素子２１０ａ〜２１０ｆを意味する。
【００１６】
このＬＥＤユニット２００は、図３、図４に示すように、１２個のうち８個（外側ＬＥＤユニット２００ａ）が、ガード部１４０に取り付けられ、残り４個（内側ＬＥＤユニット２００ｂ）が、支柱部１３０に取り付けられる。
【００１７】
ＬＥＤユニット２００（基板２２０）に実装されるＬＥＤ素子２１０は、波長に対する発光スペクトルの相対強度のピークが異なっている。ＬＥＤ素子２１０が放射する発光スペクトルの相対強度がピークとなる波長は、例えば、３４５ｎｍ、３５０ｎｍ、５４０ｎｍなどである。図６の場合では、例えばＬＥＤ素子２１０ａ，２１０ｂが波長ピーク３４５ｎｍであり、ＬＥＤ素子２１０ｃ，２１０ｄが波長ピーク３５０ｎｍであり、ＬＥＤ素子２１０ｅ，２１０ｆが波長ピーク５４０ｎｍである。あるは、ＬＥＤ素子２１０ａ〜２１０ｆの波長のピークが全て異なるようにＬＥＤ素子を選定してもよい。
【００１８】
このように、光源として、ＬＥＤ素子２１０を用いた場合、放射する波長のピークの異なるＬＥＤをＬＥＤユニット２００に搭載する。
【００１９】
（電撃格子１５０）
電撃格子１５０は、内側ＬＥＤユニット２００ｂの周囲を囲む格子状に形成され、ＬＥＤユニット２００の光に引き寄せられた虫が触れたときに、虫に電撃を加えて殺虫する。
【００２０】
（ガード部１４０）
ガード部１４０は、電撃格子１５０を囲む格子状に形成され、電撃格子１５０への人体の接触をガードする。ガード部１４０が内側ＬＥＤユニット２００ｂを覆うことになるので、内側ＬＥＤユニット２００ｂの発する光の一部はガード部１４０で遮られる。
【００２１】
そこで、ガード部１４０に外側ＬＥＤユニット２００ａを組み込むことで、より効果的に殺虫装置１０００の外方に光を放射することができる。
【００２２】
次に、殺虫装置の機能について説明する。
図８は、内側ＬＥＤユニット２００ｂと支柱部１３０との分解斜視図である。殺虫装置１０００の中心部に位置する電撃格子１５０に昆虫を集めるために、内側ＬＥＤユニット２００ｂを、電撃格子１５０の内側に配置する。
【００２３】
殺虫装置１０００の外側ＬＥＤユニット２００ａにて昆虫を広範囲から集め、電撃格子１５０の内側の内側ＬＥＤユニット２２０ｂにて、集まった昆虫を殺虫装置１０００の内部へ誘導し、電撃格子１５０に昆虫を接触させ、殺虫する。
【００２４】
このように、ガード部１４０に外側ＬＥＤユニット２００ａを取り付けることで、全方位（ほぼ３６０°の外方）に照射でき、昆虫を殺虫装置１０００に集めることができる。
【００２５】
また、支柱部１３０に内側ＬＥＤユニット２００ｂを取り付けることで、殺虫装置１０００の内側から全方向（ほぼ３６０°の外方）に光を照射でき、昆虫をさらに殺虫装置１０００内に誘導し、殺虫装置１０００の内側に集まった昆虫を電撃格子１５０に接触させることができる。
【００２６】
図９は、昆虫の種類による集まりやすい波長を示す表（出典：例えば特開２００１−１６１２５３号公報、段落［０００４］、オオタバコガについては、照明学会全国大会講演論文集  ３７．２５４．２００４０８０４  ｈｔｔｐ：／／ｃｉ．ｎｉｉ．ａｃ．ｊｐ／ｖｏｌ＿ｉｓｓｕｅ／ｎｅｌｓ／ＡＮｌ０１７０８２０／ＩＳＳ００００３９２１３５＿ｊａ．ｈｔｍｌ）を示す。
【００２７】
この図９に基づいて、ＬＥＤユニット２００を構成するＬＥＤ素子２１０の波長のピークを異なるものとする。すなわち昆虫の複眼に合わせた分光感度とすることによって、効率的に昆虫を殺虫装置１０００に集めることができる。
【００２８】
また、外側ＬＥＤユニット２００ａおよび内側ＬＥＤユニット２００ｂを構成するＬＥＤ素子２１０ａ、２１０ｂ、２１０ｃ、２１０ｄ、２１０ｅ、２１０ｆをそれぞれ異なる波長にピークを持つＬＥＤ素子にして、殺虫装置１０００に対して、これらＬＥＤ素子２１０ａ〜２１０ｆが垂直となるように設置することにより、全方向から効率よく昆虫を集めることができる。
【００２９】
実施の形態２．
実施の形態２は、実施の形態１に対して、支柱部１３０−２の形状と、支柱部１３０−２に取り付けられる内側ＬＥＤユニット２００ｂの数とが異なる。
【００３０】
図１０は、実施の形態２の殺虫装置１０００の横断面図である。図１０は図３に対応する。支柱部１３０−２は横断面が八角形である。
【００３１】
実施の形態２の殺虫装置１０００は、器具本体１００と、この器具本体１００の外周及び中央部に取り付けられる１６個のＬＥＤユニット２００（８個の外側ＬＥＤユニット２００ａ、８個の内側ＬＥＤユニット２００ｂ）とを備える。
【００３２】
器具本体１００は、上本体１１０と、虫を受ける下本体１２０と、ほぼ中央に配置され、上本体１１０と下本体１２０とを接続する支柱部１３０−２と、上本体１１０と下本体１２０との間かつ外周を覆う格子状のガード部１４０と、支柱部１３０−２とガード部１４０との間の位置に設けられる電撃格子１５０と、を備える。
【００３３】
支柱部１３０−２には、８つの内側ＬＥＤユニット２００ｂが取り付けられる。取り付けられる内側ＬＥＤユニット２００ｂは、ガード部１４０に取り付けられる外側ＬＥＤユニット２００ａに対して、互い違い（影にならないよう）に配置する。つまり図１０の横断面図で見た場合に、内側ＬＥＤユニット２００ｂの最も配光強度の大きい方向であるＸ方向が外側ＬＥＤユニット２００ａの間になるように、内側ＬＥＤユニット２００ｂは支柱部１３０−２に配置される。
【００３４】
このように、外側ＬＥＤユニット２００ａの影にならないように内側ＬＥＤユニット２００ｂを殺虫装置１０００内に配置するので、内側ＬＥＤユニット２００ｂが発する光が、外側ＬＥＤユニット２００ａの影にならず、効率的に昆虫を誘虫することができ、昆虫を電撃格子１５０に接触させることができる。
【００３５】
実施の形態３．
実施の形態３は、実施の形態１または実施の形態２の殺虫装置１０００の器具構造に、外側ＬＥＤユニット２００ａ、内側ＬＥＤユニット２００ｂの点灯状態を制御するコントローラ部３４０（発光制御部）を備える。
【００３６】
図１１は、実施の形態３を示す殺虫装置１０００に内蔵される回路ユニット３００のブロック図である。
【００３７】
殺虫装置１０００の回路ユニット３００は、外側ＬＥＤユニット２００ａを点灯する外側点灯回路部３１０Ａと、内側ＬＥＤユニット２００ｂを点灯する内側点灯回路部３２０Ｂと、電撃格子１５０を動作させる電源部３３０と、外側点灯回路部３１０Ａと内側点灯回路部３２０Ｂを制御するコントローラ部３４０と、を備える。
【００３８】
コントローラ部３４０は、外側点灯装置設定部３４１Ａと、内側点灯設定部３４２Ｂとを備える。
【００３９】
外側点灯装置設定部３４１Ａは、外側動作切替部３４１Ａ−１と、外側時間設定部３４１Ａ−２とを備える。
【００４０】
外側動作切替部３４１Ａ−１は、常時点灯状態か、所定時間ごとに点灯−消灯（または１００％点灯−２５％点灯）とを切り替えるタイマ点灯状態かを設定する。
【００４１】
外側時間設定部３４１Ａ−２は、外側動作切替部３４１Ａ−１の設定がタイマ点灯状態のときの、外側ＬＥＤユニット２００ａの点灯時間と消灯時間（または、１００％点灯時間と２５％点灯時間）を設定する。
【００４２】
（内側点灯設定部３４２Ｂ）
内側点灯設定部３４２Ｂは、内側動作切替部３４２Ｂ−１と、内側時間設定部３４２Ｂ−２とを備える。
【００４３】
内側動作切替部３４２Ｂ−１は、常時点灯状態か、所定時間ごとに点灯−消灯（または１００％点灯−２５％点灯）とを切り替えるタイマ点灯状態かを設定する。
【００４４】
内側時間設定部３４２Ｂ−２は、内側動作切替部３４２Ｂ−１の設定がタイマ点灯状態のときの、内側ＬＥＤユニット２００ｂの点灯時間と消灯時間（または、１００％点灯時間と２５％点灯時間）を設定する。
【００４５】
次に、殺虫装置の動作について説明する。
【００４６】
外側ＬＥＤユニット２００ａの点灯状態は、例えば、外側動作切替部３４１Ａ−１の設定と外側時間設定部３４１Ａ−２によって、ガード部１４０に取り付けられる外側ＬＥＤユニット２００ａを１５秒点灯させ、その後、外側ＬＥＤユニット２００ａを５秒消灯させる。
【００４７】
内側ＬＥＤユニット２００ｂは、例えば、内側動作切替部３４２Ａ−１の設定によって、内側ＬＥＤユニット２００ｂの点灯状態を常時点灯状態とする。
【００４８】
このように、外側ＬＥＤユニット２００ａを所定時間点灯させることで、昆虫を殺虫装置に誘引するとともに、外側ＬＥＤユニット２００ａを所定時間消灯させることで、外側ＬＥＤユニット２００ａに誘引された昆虫を内側ＬＥＤユニット２００ｂによって、殺虫装置１０００内に誘引し易くなる。つまり、外側ＬＥＤユニット２００ａを消灯させて、内側ＬＥＤユニット２００ｂを点灯させることで、外側ＬＥＤユニット２００ａに滞留している昆虫を、殺虫装置１０００の内側に誘引させることができる。
【００４９】
このように、殺虫装置１０００にコントローラ部３４０を設け、ガード部１４０に配置される外側ＬＥＤユニット２００ａの点灯状態を点灯−消灯に切り替える（あるいは、明滅させる）ことによって、殺虫装置１０００の近くに昆虫を引き寄せる機能と、殺虫装置１０００の近くに引き寄せた昆虫をさらに殺虫装置１０００の内側に引き寄せ、電撃格子１５０に昆虫を接触させる効果を高める。
【００５０】
また、外側ＬＥＤユニット２００ａが点灯している間、内側ＬＥＤユニット２００ｂを消灯させ、外側ＬＥＤユニット２００ａが消灯している間、内側ＬＥＤユニット２００ｂを点灯させるように、内側動作切替部３４２Ｂ−１、内側時間設定部３４２Ｂ−２を設定してもよい。
【００５１】
また、電撃格子１５０の内側に配置する内側ＬＥＤユニット２００ｂは、殺虫装置１０００の周囲に集まった昆虫を確実に内側へ引き込むため、例えばガード部１４０に配置された外側ＬＥＤユニット２００ａの光出力よりも、内側ＬＥＤユニット２００ｂの光出力を高くすると、さらに殺虫効果を高めることができる。
【符号の説明】
【００５２】
１０００  殺虫装置、１００  器具本体、１１０  上本体、１２０  下本体、１３０，１３０−２  支柱部、１４０  ガード部、１５０  電撃格子、２００  ＬＥＤユニット、２１０  ＬＥＤ素子、２２０  基板、２３０  カバー、２００ａ  外側ＬＥＤユニット、２００ｂ  内側ＬＥＤユニット、３００  回路ユニット、３１０Ａ  外側点灯回路部、３２０Ｂ  内側点灯回路部、３３０  電源部、３４０  コントローラ部、３４１Ａ  外側点灯装置設定部、３４２Ｂ  内側点灯設定部、３４１Ａ−１  外側動作切替部、３４１Ａ−２  外側時間設定部、３４２Ｂ−１  内側動作切替部、３４２Ｂ−２  内側時間設定部。
【図１】
2011254714.tif 000003
【図２】
2011254714.tif 000004
【図３】
2011254714.tif 000005
【図４】
2011254714.tif 000006
【図５】
2011254714.tif 000007
【図６】
2011254714.tif 000008
【図７】
2011254714.tif 000009
【図８】
2011254714.tif 000010
【図９】
2011254714.tif 000011
【図１０】
2011254714.tif 000012
【図１１】
2011254714.tif 000013